(57)【特許請求の範囲】
【請求項１】
冷凍温度帯室と、冷蔵温度帯室と、圧縮機と、前記冷凍温度帯室と前記冷蔵温度帯室を冷却する冷却器と、前記冷却器で冷却された冷気を前記冷凍温度帯室及び前記冷蔵温度帯室に循環させる庫内ファンと、前記冷蔵温度帯室と前記冷凍温度帯室それぞれへの送風を独立に制御するダンパと、前記冷却器の下方に設置されて該冷却器に生長した霜を溶かす除霜ヒータと、前記冷却器の温度を検知する冷却器温度センサと、を備えた冷蔵庫において、
前記圧縮機を停止して、前記冷蔵温度帯室と前記冷凍温度帯室それぞれへの送風を停止するように前記庫内ファン及び前記ダンパを制御した状態で、前記除霜ヒータに通電して除霜運転を行い、
該除霜運転後、前記冷凍温度帯室への冷気循環を第一の時間遮断し、該第一の時間よりも短い第二の時間の間前記冷蔵温度帯室を集中冷却して、
前記冷凍温度帯室への冷気循環の遮断中に所定時間経過しても前記冷却器温度センサが所定温度以下まで達しない時間リミットになった場合、前記冷凍温度帯室への冷気循環の遮断を解除することを特徴とする冷蔵庫。
【請求項２】
冷凍温度帯室と、冷蔵温度帯室と、圧縮機と、前記冷凍温度帯室と前記冷蔵温度帯室を冷却する冷却器と、前記冷却器で冷却された冷気を前記冷凍温度帯室及び前記冷蔵温度帯室に循環させる庫内ファンと、前記冷蔵温度帯室と前記冷凍温度帯室それぞれへの送風を独立に制御するダンパと、前記冷却器の下方に設置されて該冷却器に生長した霜を溶かす除霜ヒータと、前記冷却器の温度を検知する冷却器温度センサと、前記冷凍温度帯室の温度を検知する冷凍温度帯室温度センサと、を備えた冷蔵庫において、
前記圧縮機を停止して、前記冷蔵温度帯室と前記冷凍温度帯室それぞれへの送風を停止するように前記庫内ファン及び前記ダンパを制御した状態で、前記除霜ヒータに通電して除霜運転を行い、
該除霜運転後、前記冷却器温度センサの検知温度が所定温度以下になるまで前記冷凍温度帯室への冷気循環を遮断し、前記冷蔵温度帯室を集中冷却して、
前記冷凍温度帯室への冷気循環の遮断中に所定時間経過しても前記冷却器温度センサが前記所定温度以下まで達しない時間リミットになった場合、前記冷凍温度帯室への冷気循環の遮断を解除することを特徴とする冷蔵庫。
【発明の詳細な説明】
【技術分野】
【０００１】
本発明は、冷蔵庫に関する。
【背景技術】
【０００２】
本技術分野の背景技術として、特開平９−１３８０４５号公報（特許文献１）がある。特許文献１には、除霜終了検出手段の除霜終了信号を検出して出力をファン回転数補正手段に送出し、庫内温度と設定温度の温度差で決定される回転数に優先して最小回転数を選択し、タイマの動作終了または冷却器温度検出手段による所定温度への到達までの時間遅延して庫内ファンの回転数を抑え風量を低下させて熱交換効率を高めた冷却風を送り、その後庫内温度と設定温度の温度差で決定される回転数に上昇させ冷却風量を上昇させることが記載されている。
【先行技術文献】
【特許文献】
【０００３】
【特許文献１】特開平９−１３８０４５号公報
【発明の概要】
【発明が解決しようとする課題】
【０００４】
しかしながら、特許文献１のような構成では、庫内ファン回転数を低速にしても、除霜直後の加熱された温度の高い空気は冷凍温度帯室内にも多く流入する。そのため、冷蔵庫内の温度上昇を抑制しきれないおそれがある。
【０００５】
そこで本発明は、省エネルギー性を向上しつつ、食品の鮮度維持を図る冷蔵庫を提供することを目的とする。
【課題を解決するための手段】
【０００６】
上記課題を解決するために、例えば特許請求の範囲に記載の構成を採用する。本願は上記課題を解決する手段を複数含んでいるが、その一例を挙げるならば、冷凍温度帯室と、冷蔵温度帯室と、圧縮機と、前記冷凍温度帯室と前記冷蔵温度帯室を冷却する冷却器と、前記冷却器で冷却された冷気を前記冷凍温度帯室及び前記冷蔵温度帯室に循環させる庫内ファンと、前記冷蔵温度帯室と前記冷凍温度帯室それぞれへの送風を独立に制御するダンパと、前記冷却器の下方に設置されて該冷却器に生長した霜を溶かす除霜ヒータと、前記冷却器の温度を検知する冷却器温度センサと、を備えた冷蔵庫において、前記圧縮機を停止して、前記冷蔵温度帯室と前記冷凍温度帯室それぞれへの送風を停止するように前記庫内ファン及び前記ダンパを制御した状態で、前記除霜ヒータに通電して除霜運転を行い、該除霜運転後、前記冷凍温度帯室への冷気循環を第一の時間遮断し、該第一の時間よりも短い第二の時間の間前記冷蔵温度帯室を集中冷却して、前記冷凍温度帯室への冷気循環の遮断中に所定時間経過しても前記冷却器温度センサが所定温度以下まで達しない時間リミットになった場合、前記冷凍温度帯室への冷気循環の遮断を解除することを特徴とする。
【発明の効果】
【０００７】
本発明によれば、省エネルギー性を向上しつつ、食品の鮮度維持を図る冷蔵庫を提供することができる。
【図面の簡単な説明】
【０００８】
【図１】本発明の実施形態に係る冷蔵庫の正面外形図。
【図２】本発明の実施形態に係る冷蔵庫の庫内の構成を表す図１のＸ−Ｘ断面図。
【図３】本発明の実施形態に係る冷蔵庫の庫内の構成を表す正面図である。
【図４】図２の要部拡大説明図。
【図５】図３の要部拡大説明図。
【図６】本発明の実施形態に係る冷蔵庫の制御を表すフローチャート。
【図７】本発明の実施形態に係る冷蔵庫の制御を表すタイムチャート。
【発明を実施するための形態】
【０００９】
本発明に係る冷蔵庫の実施形態を、図１から図５を参照しながら説明する。
【００１０】
図１は、本実施形態の冷蔵庫本体１の正面外形図である。図２は、冷蔵庫本体１の庫内の構成を表す図１におけるＸ−Ｘ縦断面図である。図３は、冷蔵庫本体１の庫内の構成を表す正面図であり、冷気ダクトや吹き出し口の配置などを示す図である。図４は、図２の要部拡大説明図である。図５は、図３の要部拡大説明図である。
【００１１】
図１に示すように、実施形態の冷蔵庫本体１は、上方から、冷蔵室２，製氷室３及び上段冷凍室４，下段冷凍室５，野菜室６を有する。なお、製氷室３と上段冷凍室５は、冷蔵室２と下段冷凍室５との間に左右に並べて設けている。一例として、冷蔵室２及び野菜室６は、およそ３〜５℃の冷蔵温度帯の貯蔵室である。また、製氷室３，上段冷凍室４及び下段冷凍室５は、およそ−１８℃の冷凍温度帯の貯蔵室である。
【００１２】
冷蔵室２は前方側に、左右に分割された観音開き（いわゆるフレンチ型）の冷蔵室扉２ａ，２ｂを備えている。製氷室３，上段冷凍室４，下段冷凍室５，野菜室６は、それぞれ引き出し式の製氷室扉３ａ，上段冷凍室扉４ａ，下段冷凍室扉５ａ，野菜室扉６ａを備えている。また、各扉の貯蔵室側の面には、各扉の外縁に沿うようにシール部材（図示せず）を設けており、各扉の閉鎖時、貯蔵室内への外気の侵入、及び貯蔵室からの冷気漏れを抑制する。
【００１３】
また、冷蔵庫本体１は、各貯蔵室に設けた扉の開閉状態をそれぞれ検知する扉センサ（図示せず）と、各扉が開放していると判定された状態が所定時間、例えば、１分間以上継続された場合に、使用者に報知するアラーム（図示せず）と、冷蔵室２の温度設定や上段冷凍室４や下段冷凍室５の温度設定をする温度設定器等（図示せず）を備えている。
【００１４】
図２に示すように、冷蔵庫本体１の庫外と庫内は、内箱１ａと外箱１ｂとの間に発泡断熱材（発泡ポリウレタン）を充填することにより形成される断熱箱体１０により隔てられている。また、冷蔵庫本体１の断熱箱体１０は複数の真空断熱材２５を実装している。
【００１５】
冷蔵庫本体１は、上側断熱仕切壁５１により冷蔵室２と、上段冷凍室４及び製氷室３（図１参照、図２中で製氷室３は図示されていない）とが断熱的に隔てられ、下側断熱仕切壁５２により、下段冷凍室５と野菜室６とが断熱的に隔てられている。また、図２に示すように、下段冷凍室５の上部には、横仕切部５３を設けている。横仕切部５３は、製氷室３及び上段冷凍室４と、下段冷凍室５とを上下方向に仕切っている。
【００１６】
なお、製氷室３，上段冷凍室４及び下段冷凍室５は、いずれも冷凍温度帯なので、横仕切部５３及び縦仕切部５４は、各扉のシール部材を受けるために、少なくとも冷蔵庫本体１の前側にあればよい（図２参照）。すなわち、冷凍温度帯の各貯蔵室間で気体の移動があってもよく、断熱区画しない場合であってもよい。一方、上段冷凍室４を温度切替室とする場合は、断熱区画する必要があるため、横仕切部５３及び縦仕切部５４は、冷蔵庫本体１の前側から後壁まで延在させる。
【００１７】
冷蔵室扉２ａ，２ｂの貯蔵室内側には、複数の扉ポケット３２が備えられている（図２参照）。また、冷蔵室２は複数の棚３６が設けられている。棚３６により、冷蔵室２は縦方向に複数の貯蔵スペースに区画されている。
【００１８】
図２に示すように、上段冷凍室４，下段冷凍室５及び野菜室６は、それぞれの貯蔵室の前方に備えられた扉と一体に前後方向に移動する。また、収納容器３ｂ，４ｂ，５ｂ，６ｂがそれぞれ設けられている。そして、製氷室扉３ａ，上段冷凍室扉４ａ，下段冷凍室扉５ａ及び野菜室扉６ａは、それぞれ図示しない取手部に手を掛けて手前側に引き出すことにより、収納容器３ｂ，４ｂ，５ｂ，６ｂが引き出せるようになっている。
【００１９】
図２及び図３に示すように、実施形態の冷蔵庫は、冷却手段として蒸発器７を備えている。蒸発器７（一例として、フィンチューブ型熱交換器）は、下段冷凍室５の略背部に備えられた蒸発器収納室８内に設けられている。また、蒸発器収納室８内であって蒸発器７の上方には、送風手段として送風機９（一例として、プロペラファン）が設けられている。蒸発器７と熱交換して冷やされた空気（以下、蒸発器７で熱交換した低温の空気を「冷気」と称する）は、送風機９によって冷蔵室送風ダクト１１，冷凍室送風ダクト１２を介して、冷蔵室２，野菜室６，上段冷凍室４，下段冷凍室５，製氷室３の各貯蔵室へそれぞれ送られる。各貯蔵室への送風は、冷蔵温度帯室への送風量を制御する第一の送風量制御手段（冷蔵室ダンパ２０）と、冷凍温度帯室への送風量を制御する第二の送風量制御手段（冷凍室ダンパ５０）とにより制御される。
【００２０】
ちなみに、冷蔵室２，製氷室３，上段冷凍室４，下段冷凍室５及び野菜室６への各送風ダクトは、図３に破線で示すように冷蔵庫本体１の各貯蔵室の背面側に設けられている。
【００２１】
具体的には、冷蔵室ダンパ２０が開状態、冷凍室ダンパ５０が閉状態のときには、冷気は、冷蔵室送風ダクト１１を経て多段に設けられた吹き出し口２ｃから冷蔵室２に送られる。
【００２２】
なお、冷蔵室２を冷却した冷気は、冷蔵室２の下部に設けられた冷蔵室戻り口２ｄから冷蔵室戻りダクト１６を経て、下段断熱仕切壁５２の下部右奥側に設けた野菜室吹き出し口６ｃから野菜室６へ送風される。
【００２３】
野菜室６からの戻り冷気は、断熱仕切壁５２の下部前方に設けられた野菜室戻りダクト入口１８ｂから野菜室戻りダクト１８を経て、野菜室戻りダクト出口１８ａから蒸発器収納室８の下部に戻る。
【００２４】
なお、別の構成として、冷蔵室戻りダクト１６を野菜室６へ連通せずに、蒸発器収納室８の正面から見て、右側下部に戻す構成としてもよい。この場合の一例として、冷蔵室戻りダクト１６の前方投影位置に野菜室送風ダクト（図示せず）を配置して、蒸発器７で熱交換した冷気を、野菜室吹き出し口６ｃから野菜室６へ直接送風する。
【００２５】
図２に示すように、蒸発器収納室８前方には、各貯蔵室と蒸発器収納室８との間を仕切る仕切部材１３が設けられている。仕切部材１３には、吹き出し口３ｃ，４ｃ，５ｃが形成されており、冷凍室ダンパ５０が開状態のとき、蒸発器７で熱交換された冷気が送風機９により図示省略の製氷室送風ダクトや上段冷凍室送風ダクト１２を経て吹き出し口３ｃ，４ｃからそれぞれ製氷室３，上段冷凍室４へ送風される。また、冷凍室送風ダクト１２を経て吹き出し口５ｃから下段冷凍室５へ送風される。
【００２６】
一般に、周囲温度に対して低温の冷気は、上方から下方に向かう下降流を形成する。よって、貯蔵室の上方により多くの冷気を供給することで、下降流の作用で貯蔵室内を良好に冷却できる。第一の実施形態では、冷凍室ダンパ５０を設けているが、これを送風機９の上方に設置することで、送風機９からの送風をスムーズに製氷室３や上段冷凍室４に送風できるように配慮している。製氷室３，上段冷凍室４及び下段冷凍室５が連通した構成とすれば、下降流による冷却効果を高めることができる。
【００２７】
仕切部材１３には、下段冷凍室５の奥下部の位置に冷凍室戻り口１７が設けられており、上段冷凍室４，下段冷凍室５，製氷室３を冷却した冷気は、冷凍室戻り口１７を介して蒸発器収納室８に流入する。なお、冷凍室戻り口１７は蒸発器７の幅とほぼ等しい幅寸法である。
【００２８】
図４に示すように本実施形態の冷蔵庫本体１では、冷却器７の上方に庫内ファン９を設け、庫内ファン９の上方に冷凍室ダンパ５０を設けている。さらに、冷凍室ダンパ５０の上方に冷凍温度帯室６０の上段に位置する上段冷凍室４に冷気を送り出す上段冷凍室吹き出し口４ｃと製氷室吹き出し口３ｃ（図３参照）が備えられている。なお、上段冷凍室吹き出し口４ｃは、冷凍室の吹き出し口の中で最も開口面積が大きくなっている。
【００２９】
図５に示すように、冷蔵室２を冷却した冷気は、蒸発器収納室８の側方に備えられた冷蔵室−野菜室連通ダクト１６を通って、野菜室６に流入する。野菜室６からの戻り冷気は、野菜室戻り口１８ｂ（図２参照）から流入し、図４に示すように、断熱仕切壁５２の中に設けられた野菜室戻りダクト１８を通って、蒸発器収納室８の下部前方に設けられた、冷却器７の幅とほぼ等しい幅寸法の野菜室戻り吹き出し口１８ａ（図５参照）から、蒸発器収納室８に流入する。一方、冷凍温度帯室６０を冷却した冷気は、図４に示すように、蒸発器収納室８と冷凍温度帯室６０を仕切る仕切板５４の下部に備えられた、冷却器７の幅とほぼ等しい幅寸法の冷凍室戻り口１７を介して蒸発器収納室８に流入する。なお、蒸発器収納室８の下方には、除霜ヒータ２２が備えられている。除霜ヒータ２２は、ガラス管ヒータであり、ガラス管の外周にはアルミニウム製の放熱フィン２２ａが備えられている。
【００３０】
除霜ヒータ２２の上方には、除霜水が除霜ヒータ２２に滴下することを防止するために、上部カバー５３が設けられている。また、図５に示すとおり、蒸発器収納室８の下部前方には、暖気収納スペース２６が設けられている。この暖気収納スペース２６によって、除霜ヒータ２２に通電することによって実施される除霜運転中に生じる暖気（上昇気流）が、冷凍温度帯室６０に流入することを抑えることができる。
【００３１】
冷却器７及びその周辺の蒸発器収納室８の壁に付着した霜は、除霜運転時に解かされ、その際に生じた除霜水は蒸発器収納室８の下部に備えられた樋２３に流入した後に、排水管２７を介して後記する機械室１９に配された蒸発皿２１に達し、圧縮機２４及び、機械室１９内に配設される図示しない凝縮器及び圧縮機２４の発熱により蒸発させられる。
【００３２】
また、冷却器７の正面から見て左上部には冷却器７に取り付けられた冷却器温度センサ３５、冷蔵室２には冷蔵室温度センサ３３、下段冷凍室５には冷凍室温度センサ３４がそれぞれ備えられており、それぞれ冷却器７の温度（以下、冷却器温度と称する），冷蔵室２の温度（以下、冷蔵室温度と称する），下段冷凍室５の温度（以下、冷凍室温度と称する）を検知できるようになっている。更に、冷蔵庫本体１は、庫外の温度を検知する図示しない外気温度センサを備えている。なお、野菜室６にも野菜室温度センサ３３ａが配置してある。
【００３３】
ちなみに、本実施形態では、イソブタンを冷媒として用い、冷媒封入量は約８０ｇと少量にしている。
【００３４】
冷蔵庫本体１の天井壁上面側にはＣＰＵ，ＲＯＭやＲＡＭ等のメモリ，インターフェース回路等を搭載した制御基板３１が配置されており（図２参照）、制御基板３１は、前記した外気温度センサ，冷却器温度センサ３５，冷蔵室温度センサ３３，野菜室温度センサ３３ａ，冷凍室温度センサ３４，扉２ａ，２ｂ，３ａ，４ａ，５ａ，６ａの各扉の開閉状態をそれぞれ検知する前記した扉センサ、冷蔵室２内壁に設けられた図示しない温度設定器等と接続し、前記ＲＯＭに予め搭載されたプログラムにより、圧縮機２４のＯＮ，ＯＦＦ等の制御，冷蔵室ダンパ２０及び冷凍室ダンパ５０を個別に駆動する図示省略のそれぞれのアクチュエータの制御，庫内ファン９のＯＮ／ＯＦＦ制御や回転速度制御、前記した扉開放状態を報知するアラームのＯＮ／ＯＦＦ等の制御を行う。
【００３５】
（実施の形態１）
以下、本発明の第１の実施例について図面を参照しながら説明する。
【００３６】
まず、蒸気圧縮式冷蔵庫の冷凍サイクルを考えると、一般に、放熱性能が十分であった場合、冷却器における蒸発温度を高くする、すなわち、蒸発圧力を高くすることが、成績係数（＝冷凍能力（冷却能力）／圧縮機動力）の向上に有効である。すなわち、蒸発温度を高くすることができれば、少ない圧縮機の動力で必要な冷却能力を得ることができ、省エネルギー性能を向上できる。
【００３７】
また、冷蔵庫の制御を考える場合、できるだけ蒸発温度を高くして庫内を冷却できるように配慮する必要がある。蒸発温度は、冷却器内を流れる冷媒の吸熱量（蒸発潜熱と冷媒循環量から決まる）と、冷却器から冷熱を奪う伝熱量（冷却器に熱を伝える伝熱量）とがバランスするように決まる。したがって、蒸発温度を上げるには、冷却器からより多くの冷熱を奪うように、すなわち、伝熱量を上げることが有効となる。
【００３８】
この観点から従来技術では、除霜直後の庫内は温度が高く、冷蔵温度帯室用ダンパを開状態として冷却する。ここで、冷凍温度帯室への冷気遮断手段（例えば冷凍温度帯室用ダンパ）が無い状態では、冷蔵温度帯室と冷凍温度帯室の両方に通風される。したがって、冷却器には、冷蔵温度帯室からの戻り冷気と、冷凍温度帯室からの戻り冷気が混合されて流入する。
【００３９】
一般に、冷蔵温度帯室と冷凍温度帯室を同時に送風する状態となった場合、冷凍温度帯室側により多くの冷気が分配されるように風路が形成される。そのため、冷却器には、低温の冷凍温度帯室からの戻り冷気が多く流入する。したがって、冷却器から冷熱を奪う空気の温度が低いために、蒸発温度は低い温度でバランスすることになる（一般には冷凍温度帯室温度程度でバランスする）。
【００４０】
すなわち、冷蔵温度帯室は３〜５℃程度のプラス温度に維持される貯蔵室であるにもかかわらず、冷凍温度帯室並みの低温の蒸発温度で運転することは、上記のとおり冷凍サイクルの成績係数が低い状態で冷却していることにほかならない。したがって、上記従来技術では、冷凍サイクルの成績係数が低い、冷蔵温度帯室と冷凍温度帯室に共に流入する状態での冷却が実施されていたため、省エネ性が十分高くならない、という問題がある。
【００４１】
図６（ａ）は本発明の第１の実施例における冷蔵庫の除霜後の運転制御動作を説明するためのフローチャートを示している。また、図７にはダンパ、庫内ファンの動作タイムチャートと、その動作実施時における温度チャートを示している。
【００４２】
冷蔵庫本体１の冷却器温度センサ３５が除霜を終了する規定温度に達したとき、除霜ヒータ２２の通電を停止し、除霜運転を終了させる（Ｓ１０１）。その後、冷凍室温度センサ３４で検出される冷凍温度帯室６０の温度が高い場合（ＴＦ１よりも大）（Ｓ１０２）、冷蔵室ダンパ２０を開放した状態で圧縮機２４と庫内ファン９の運転を再開する（Ｓ１０３）。また、この時、除霜直後の加熱された温度の高い空気による冷凍温度帯室６０内温度上昇を抑制するため、冷凍室ダンパ５０は閉とした状態で、冷蔵温度帯室６１のみ冷却を実施し、タイマ動作を開始する（Ｓ１０４）。そして、タイマの動作が終了したら（Ｓ１０５）、冷却器の温度が一定以下に下がったと判断し、冷凍室ダンパ５０も開として冷凍温度帯室６０の冷却も再開する（Ｓ１０６）。
【００４３】
本実施の形態により、冷凍温度帯室６０の温度上昇は同等でありながら、冷蔵温度帯室６１の冷却速度は向上し、結果的に除霜運転による温度上昇の影響が軽減でき、食品の鮮度維持を図ることができる。また、冷凍温度帯室６０への冷気を一定時間（第一の時間）遮断し、第一の時間よりも短い第二の時間、冷蔵温度帯室６１冷却に集中することで、冷凍サイクルの成績係数が高い状態で実施でき、省エネ性が高い冷蔵庫を提供できる。
【００４４】
（実施の形態２）
以下、本発明の第２の実施例について図面を参照しながら説明する。
【００４５】
図６（ｂ）は、本発明の第２の実施例における冷蔵庫の除霜後の運転制御動作を説明するためのフローチャートを示している。
【００４６】
冷蔵庫本体１の冷却器温度センサ３５が除霜を終了する規定温度に達したとき、除霜ヒータ２２の通電を停止し、除霜運転を終了させる（Ｓ２０１）。その後、上記の実施形態同様、冷凍室温度センサ３４で検出される冷凍温度帯室６０の温度が高い場合（ＴＦ１よりも大）（Ｓ２０２）、冷蔵室ダンパ２０を開放した状態で圧縮機２４と庫内ファン９の運転を再開する（Ｓ２０３）。除霜直後の加熱された温度の高い空気による冷凍温度帯室６０内温度上昇を抑制するため、冷凍室ダンパ５０を閉とし、冷蔵室ダンパ２０を開とした状態で圧縮機２４と庫内ファン９の運転を再開し冷蔵温度帯室６１のみ冷却を実施する。そして、冷却器温度センサ３５が一定以上冷却されたら（ＴＤ１よりも小）（Ｓ２０４）、冷凍室ダンパ５０も開として冷凍温度帯室６０の冷却も再開する（Ｓ２０５）。
【００４７】
本実施の形態により、冷凍温度帯室６０の温度上昇は同等でありながら、冷蔵温度帯室６１の冷却速度は向上し、結果的に除霜運転による温度上昇の影響が軽減でき、また、周囲温度や冷蔵庫内の食品への影響も考慮することができることから、従来技術よりも更に食品の鮮度維持を図ることができる。また、冷凍温度帯室６０への冷気を一定時間遮断し、冷蔵温度帯室６１への冷却に集中することで、冷凍サイクルの成績係数が高い状態で実施でき、省エネ性が高い冷蔵庫を提供できる。
【００４８】
（実施の形態３）
以下、本発明の第３の実施例について図面を参照しながら説明する。
【００４９】
図６（ｃ）は、本発明の第３の実施例における冷蔵庫の除霜後の運転制御動作を説明するためのフローチャートを示している。
【００５０】
冷蔵庫本体１の冷却器温度センサ３５が除霜を終了する規定温度に達したとき、除霜ヒータ２２の通電を停止し、除霜運転を終了させる（Ｓ３０１）。その後、上記の実施形態同様、冷凍室温度センサ３４で検出される冷凍温度帯室６０の温度が高い場合（ＴＦ１よりも大）（Ｓ３０２）、冷蔵室ダンパ２０を開とした状態で圧縮機２４と庫内ファン９の運転を再開する（Ｓ３０３）。また、この時、除霜直後の加熱された温度の高い空気による冷凍温度帯室６０内温度上昇を抑制するため、冷凍室ダンパ５０は閉とした状態で、冷蔵温度帯室６１のみ冷却を実施し、タイマ動作を開始する（Ｓ３０４）。そして、タイマの動作が終了するか（Ｓ３０５）、または、冷却器温度センサ３５が一定以上冷却されたら（ＴＤ１よりも小）（Ｓ３０６）、冷凍室ダンパ５０も開として冷凍温度帯室６０の冷却も再開する（Ｓ３０７）。
【００５１】
本実施の形態により、冷凍温度帯室６０の温度上昇は同等でありながら、冷蔵温度帯室６１の冷却速度は向上し、結果的に除霜運転による温度上昇の影響が軽減できる。また、実施の形態２が冷却器に設けた温度センサが一定温度以上冷えるまで冷凍温度帯室６０への冷気を遮断することに対し、冷蔵庫内の食品や、追加投入された食品の影響で、該冷却器温度センサが長時間経過しても一定温度以上冷えない場合に時間リミットを設けることで、冷凍温度帯室６０への冷気を長期遮断することを回避し、信頼性を向上させることができる。また、冷凍温度帯室６０への冷気を一定時間遮断し、冷蔵温度帯室６１への冷却に集中することで、冷凍サイクルの成績係数が高い状態で実施でき、省エネ性が高い冷蔵庫を提供できる。
【００５２】
（実施の形態４）
以下、本発明の第４の実施例について図面を参照しながら説明する。
【００５３】
図６（ｄ）は、本発明の第４の実施例における冷蔵庫の除霜後の運転制御動作を説明するためのフローチャートを示している。
【００５４】
冷蔵庫本体１の冷却器温度センサ３５が除霜を終了する規定温度に達したとき、除霜ヒータ２２の通電を停止し、除霜運転を終了させる（Ｓ４０１）。その後、上記の実施形態同様、冷凍室温度センサ３４で検出される冷凍温度帯室６０の温度が高い場合（Ｓ４０２）、冷蔵室ダンパ２０を開とした状態で圧縮機２４と庫内ファン９の運転を再開する（Ｓ４０３）。除霜直後の加熱された温度の高い空気による冷凍温度帯室６０内温度上昇を抑制するため、冷凍室ダンパ５０を閉とし、冷蔵室ダンパ２０を開とした状態で圧縮機２４と庫内ファン９の運転を再開し冷蔵温度帯室６１のみ冷却を実施する。そして、冷却器温度センサ３５で検出される冷却器７が冷凍室温度センサ３４で検出される冷凍温度帯室６０よりも一定以上冷えたと検出されたら（Ｓ４０４）、冷凍室ダンパ５０も開として冷凍温度帯室６０の冷却も再開する（Ｓ４０５）。
【００５５】
本実施の形態により、冷凍温度帯室６０の温度上昇は同等でありながら、冷蔵温度帯室６１の冷却速度は向上し、結果的に除霜運転による温度上昇の影響が軽減でき、食品の鮮度維持を図ることができる。また、冷凍温度帯室６０への冷気を一定時間遮断し、冷蔵温度帯室６１への冷却に集中することで、冷凍サイクルの成績係数が高い状態で実施でき、省エネ性が高い冷蔵庫を提供できる。
【００５６】
以上の実施形態により、次のような効果を有する。
【００５７】
冷凍温度帯室と、冷蔵温度帯室と、圧縮機と、前記冷凍温度帯室と前記冷蔵温度帯室を冷却する冷却器と、前記冷却器で冷却された冷気を前記冷凍温度帯室及び前記冷蔵温度帯室に循環させる庫内ファンと、前記冷蔵温度帯室と前記冷凍温度帯室それぞれへの送風を独立に制御するダンパと、前記冷却器の下方に設置されて該冷却器に生長した霜を溶かす除霜ヒータと、を備えた冷蔵庫において、前記圧縮機を停止して、前記冷蔵温度帯室と前記冷凍温度帯室それぞれへの送風を停止するように前記庫内ファン及び前記ダンパを制御した状態で、前記除霜ヒータに通電して除霜運転を行い、該除霜運転後、前記冷凍温度帯室への冷気循環を第一の時間遮断し、該第一の時間よりも短い第二の時間の間前記冷蔵温度帯室を集中冷却する。
【００５８】
これにより、除霜直後の加熱された温度の高い空気による冷凍温度帯室内温度上昇が抑制でき、また、冷蔵温度帯室の冷却を、冷凍サイクルの成績係数が高い状態で実施できることから、省エネルギー性が高い冷蔵庫を提供できる。
【００５９】
また、冷凍温度帯室と、冷蔵温度帯室と、圧縮機と、前記冷凍温度帯室と前記冷蔵温度帯室を冷却する冷却器と、前記冷却器で冷却された冷気を前記冷凍温度帯室及び前記冷蔵温度帯室に循環させる庫内ファンと、前記冷蔵温度帯室と前記冷凍温度帯室それぞれへの送風を独立に制御するダンパと、前記冷却器の下方に設置されて該冷却器に生長した霜を溶かす除霜ヒータと、前記冷却器の温度を検知する冷却器温度センサと、前記冷凍温度帯室の温度を検知する冷凍温度帯室温度センサと、を備えた冷蔵庫において、前記圧縮機を停止して、前記冷蔵温度帯室と前記冷凍温度帯室それぞれへの送風を停止するように前記庫内ファン及び前記ダンパを制御した状態で、前記除霜ヒータに通電して除霜運転を行い、該除霜運転後、前記冷却器温度センサの検知温度が所定温度以下になるまで又は所定時間経過するまで、前記冷凍温度帯室への冷気循環を遮断し、前記冷蔵温度帯室を集中冷却する。
【００６０】
これにより、周囲温度や冷蔵庫内の食品の影響も考慮することができ、請求項１同様、省エネ性が高い冷蔵庫を提供できる。
【００６１】
また、冷蔵庫内の食品や、追加投入された食品の影響で、該冷却器温度センサの検知温度が長時間経過しても一定温度以下まで達しない場合、時間リミットを設けることで、冷凍温度帯室への冷気を長期遮断することを回避し、信頼性を向上させることができる。
【００６２】
また、冷凍温度帯室と、冷蔵温度帯室と、圧縮機と、前記冷凍温度帯室と前記冷蔵温度帯室を冷却する冷却器と、前記冷却器で冷却された冷気を前記冷凍温度帯室及び前記冷蔵温度帯室に循環させる庫内ファンと、前記冷蔵温度帯室と前記冷凍温度帯室それぞれへの送風を独立に制御するダンパと、前記冷却器の下方に設置されて該冷却器に生長した霜を溶かす除霜ヒータと、前記冷却器の温度を検知する冷却器温度センサと、前記冷凍温度帯室の温度を検知する冷凍温度帯室温度センサと、を備えた冷蔵庫において、前記圧縮機を停止して、前記冷蔵温度帯室と前記冷凍温度帯室それぞれへの送風を停止するように前記庫内ファン及び前記ダンパを制御した状態で、前記除霜ヒータに通電して除霜運転を行い、該除霜運転後、前記冷却器温度センサの検知温度が前記冷凍温度帯室温度センサの検知温度に対し所定以上冷えるまで、前記冷凍温度帯室への冷気を遮断し、前記冷蔵温度帯室を集中冷却する。
【００６３】
これにより、周囲温度や冷蔵庫内の食品の影響も考慮することができ、省エネルギー性の高い冷蔵庫を提供できる。
【符号の説明】
【００６４】
１  冷蔵庫本体
２  冷蔵室（冷蔵温度帯室）
３  製氷室（冷凍温度帯室）
４  上段冷凍室（冷凍温度帯室）
５  下段冷凍室（冷凍温度帯室）
６  野菜室（冷蔵温度帯室）
７  蒸発器（冷却器）
８  蒸発器収納室
９  庫内ファン（送風機）
２０  冷蔵室ダンパ
２２  除霜ヒータ
２４  圧縮機
３１  制御基板
３３  冷蔵室温度センサ
３３ａ  野菜室温度センサ
３４  冷凍室温度センサ
３５  冷却器温度センサ
５０  冷凍室ダンパ
【図１】
0005530852.tif 000002
【図２】
0005530852.tif 000003
【図３】
0005530852.tif 000004
【図４】
0005530852.tif 000005
【図５】
0005530852.tif 000006
【図６】
0005530852.tif 000007
【図７】
0005530852.tif 000008